(57)【特許請求の範囲】
【請求項１】
複数のサービス毎に対応したＷｅｂページを管理し、ネットワークを介して前記Ｗｅｂページを配信する第１の情報処理装置と、前記Ｗｅｂページを受信するユーザ端末と、ユーザ端末により作成された投稿情報を受信し、前記投稿情報を生成時刻に基づいて配列して配信する第２の情報処理装置とを有する情報処理システムであって、
前記第１の情報処理装置は、
ユーザにより作成された投稿情報と、前記投稿情報に関連する前記Ｗｅｂページのサービスを識別するサービス識別情報と、をユーザ端末から受信する第１の受信手段と、
前記投稿情報と、前記サービス識別情報と、前記投稿情報の生成時刻とを対応させて記憶する第１の投稿情報記憶手段と、
前記ユーザ端末からのページ要求に応じて、要求されたＷｅｂページの前記サービス識別情報に対応する複数の前記投稿情報を前記生成時刻に基づいて配列した情報と、前記サービス識別情報に対応するサービスの内容を含むサービス情報と、を含むＷｅｂページを作成する第１のＷｅｂページ作成手段と
を備え、
前記第２の情報処理装置は、
ユーザにより作成された投稿情報と、当該投稿情報に関連付けられるサービス識別情報と、を前記ユーザ端末から受信する第２の受信手段と、
前記投稿情報と、前記サービス識別情報と、前記生成時刻とを対応させて記憶する第２の投稿情報記憶手段と、
前記ユーザ端末からのページ要求に応じて、前記第２の投稿情報記憶手段から抽出した前記投稿情報を、前記生成時刻に基づいて配列したＷｅｂページを作成する第２のＷｅｂページ作成手段と、
を備え、
前記第１のＷｅｂページ作成手段および前記第２のＷｅｂページ作成手段は、Ｗｅｂページを作成する場合に、互いに情報を送受信することで、前記第１のＷｅｂページ作成手段については前記第２の投稿情報記憶手段からも前記サービス識別情報に対応する投稿情報を取得し、前記第２のＷｅｂページ作成手段については前記第１の投稿情報記憶手段からも投稿情報を取得して、それぞれ取得した投稿情報も配列したＷｅｂページを作成することを特徴とする情報処理システム。
【請求項２】
前記第１のＷｅｂページ作成手段は、
前記サービス情報、又は前記投稿情報に対する返信投稿情報を受け付け、前記サービス情報に対応するサービス識別情報と、前記返信投稿情報とを前記第１の情報処理装置に送信する受付手段を前記Ｗｅｂページに作成し、
前記第１の受信手段は、
前記サービス識別情報と、前記返信投稿情報とを受信し、
前記第１の投稿情報記憶手段は、
前記返信投稿情報を投稿情報として、前記サービス識別情報と、前記返信投稿情報の生成時刻とともに記憶することを特徴とする請求項１に記載の情報処理システム。
【請求項３】
複数のサービス毎に対応したＷｅｂページを管理し、ネットワークを介して前記Ｗｅｂページを配信する第１の情報処理装置と、前記Ｗｅｂページを受信するユーザ端末と、ユーザ端末により作成された投稿情報を受信し、前記投稿情報を生成時刻に基づいて配列して配信する第２の情報処理装置とを有する情報処理システムにおいて実行される情報処理方法であって
前記第１の情報処理装置が、ユーザにより作成された投稿情報と、当該投稿情報に関連する前記Ｗｅｂページのサービスを識別するサービス情報と、当該投稿情報の生成時刻とを記憶する第１のサービス情報記憶手段を備え、
前記第１の情報処理装置が、ユーザにより作成された投稿情報と、前記投稿情報に関連する前記Ｗｅｂページのサービスを識別するサービス識別情報とをユーザ端末から受信する第１の受信ステップと、
前記第１の情報処理装置が、前記投稿情報と、前記サービス識別情報と、前記投稿情報の生成時刻とを対応させて前記第１のサービス情報記憶手段に記憶する第１の投稿情報記憶ステップと、
前記第１の情報処理装置が、前記ユーザ端末からのページ要求に応じて、要求されたＷｅｂページの前記サービス識別情報に対応する複数の前記投稿情報を前記生成時刻に基づいて配列した情報と、前記サービス識別情報に対応するサービスの内容を含むサービス情報とを含むＷｅｂページを作成する第１のＷｅｂページ作成ステップと、
を備え、
前記第２の情報処理装置が、ユーザにより作成された投稿情報と、当該投稿情報に関連付けられるサービス識別情報と、当該投稿情報の生成時刻とを記憶する第２のサービス情報記憶手段を備え、
前記第２の情報処理装置が、ユーザにより作成された投稿情報と、当該投稿情報に関連付けられるサービス識別情報と、を前記ユーザ端末から受信する第２の受信ステップと、
前記第２の情報処理装置が、前記投稿情報と、前記サービス識別情報と、前記生成時刻とを対応させて前記第２の投稿情報記憶手に記憶する第２の投稿情報記憶ステップと、
前記第２の情報処理装置が、前記ユーザ端末からのページ要求に応じて、前記第２の投稿情報記憶手段から抽出した前記投稿情報を、前記生成時刻に基づいて配列したＷｅｂページを作成する第２のＷｅｂページ作成ステップと、
を備え、
前記第１のＷｅｂページ作成ステップおよび前記第２のＷｅｂページ作成ステップにおいてＷｅｂページを作成する場合に、前記第１の情報処理装置および前記第２の情報処理装置は、互いに情報を送受信することで、前記第１のＷｅｂページ作成ステップについては前記第２の投稿情報記憶手段からも前記サービス識別情報に対応する投稿情報を取得し、前記第２のＷｅｂページ作成ステップについては前記第１の投稿情報記憶手段からも投稿情報を取得して、それぞれ取得した投稿情報も配列したＷｅｂページを作成することを特徴とする情報処理方法。
【請求項４】
複数のサービス毎に対応したＷｅｂページを、第１の情報処理装置と、第２の情報処理装置とを有する情報処理システムにおいて管理させ、ネットワークを介して前記Ｗｅｂページを配信させるプログラムであって、
前記第１の情報処理装置に、ユーザにより作成された投稿情報と、当該投稿情報に関連する前記Ｗｅｂページのサービスを識別するサービス情報と、当該投稿情報の生成時刻とを記憶する第１のサービス情報記憶手段を実現させ、
前記第１の情報処理装置が、ユーザにより作成された投稿情報と、前記投稿情報に関連する前記Ｗｅｂページのサービスを識別するサービス識別情報とをユーザ端末から受信する第１の受信ステップと、
前記第１の情報処理装置が、前記投稿情報と、前記サービス識別情報と、前記投稿情報の生成時刻とを対応させて前記第１のサービス情報記憶手段に記憶する投稿情報記憶ステップと、
前記第１の情報処理装置が、前記ユーザ端末からのページ要求に応じて、要求されたＷｅｂページの前記サービス識別情報に対応する複数の前記投稿情報を前記発生時刻に基づいて配列した情報と、前記サービス識別情報に対応するサービスの内容を含むサービス情報とを含むＷｅｂページを作成するＷｅｂページ作成ステップと、
を備え、
前記第２の情報処理装置に、ユーザにより作成された投稿情報と、当該投稿情報に関連付けられるサービス識別情報と、当該投稿情報の生成時刻とを記憶する第２のサービス情報記憶手段を実現させ、
前記第２の情報処理装置が、ユーザにより作成された投稿情報と、当該投稿情報に関連付けられるサービス識別情報と、を前記ユーザ端末から受信する第２の受信ステップと、
前記第２の情報処理装置が、前記投稿情報と、前記サービス識別情報と、前記生成時刻とを対応させて前記第２の投稿情報記憶手に記憶する第２の投稿情報記憶ステップと、
前記第２の情報処理装置が、前記ユーザ端末からのページ要求に応じて、前記第２の投稿情報記憶手段から抽出した前記投稿情報を、前記生成時刻に基づいて配列したＷｅｂページを作成する第２のＷｅｂページ作成ステップと、
を備え、
前記第１のＷｅｂページ作成ステップおよび前記第２のＷｅｂページ作成ステップにおいてＷｅｂページを作成する場合に、前記第１の情報処理装置および前記第２の情報処理装置は、互いに情報を送受信することで、前記第１のＷｅｂページ作成ステップについては前記第２の投稿情報記憶手段からも前記サービス識別情報に対応する投稿情報を取得し、前記第２のＷｅｂページ作成ステップについては前記第１の投稿情報記憶手段からも投稿情報を取得して、それぞれ取得した投稿情報も配列したＷｅｂページを作成することを特徴とするプログラム。
【発明の詳細な説明】
【技術分野】
【０００１】
本発明は、複数のサービス毎に対応したＷｅｂページを管理し、ネットワークを介して
前記Ｗｅｂページを配信する情報処理システム、情報処理方法、プログラムに関する。
【背景技術】
【０００２】
従来、複数の携帯端末、複数のクライアント端末、又はこれらの組み合わせからなる複数の端末から情報を受信し、受信した情報を受信した順に配列して逐次配信するＷｅｂサイト（例えば、Twitter）を提供する情報処理装置が知られている。
【０００３】
このようなＷｅｂサイトでは、複数のユーザが所定のトピックスについて、コメントを送信し合うことにより、議論が繰り広げられることがある。このような議論を参照することは、有益でありネットワーク上から議論ログを検索することへの需要は高い。
【０００４】
そこで、このような議論を検索するために、キーワードを指定し、キーワードを含む議論ログを提供する情報処理装置が知られている。また、所定のトピックスからキーワードを抽出し、キーワードに基づいて、複数のコメントをグルーピングする情報処理装置も提案されている（例えば、特許文献１）。
【先行技術文献】
【特許文献】
【０００５】
【特許文献１】特開２００６−１３９７１８号公報
【発明の概要】
【発明が解決しようとする課題】
【０００６】
しかし、上記した従来の情報処理装置には、次のような問題があった。すなわち、情報処理装置におけるキーワード検索では、キーワード以外の用語を検出できず、また、検出した議論ログが、必ずしもユーザの要求するものとは限らないという問題がある。
【０００７】
そこで、本発明は、このような状況に鑑みてなされたものであり、情報処理装置が提供する所定のＷｅｂページにコメントを投稿するユーザが、特別の処理をすることなく、同一トピックスに関連したコメントをグルーピングするとともに、Ｗｅｂページを閲覧するユーザに対して、Ｗｅｂページに関連した議論ログを提供することを目的とする。
【課題を解決するための手段】
【０００８】
上述した問題を解決するため、本発明は、次のような特徴を有している。まず、本発明の第１の特徴は、複数のサービス毎に対応したＷｅｂページを管理し、ネットワークを介して前記Ｗｅｂページを配信する情報処理装置であって、ユーザにより作成された投稿情報と、前記投稿情報に関連する前記Ｗｅｂページのサービスを識別するサービス識別情報と、をユーザ端末から受信する受信手段と、前記投稿情報と、前記サービス識別情報と、前記投稿情報の生成時刻とを対応させて記憶する投稿情報記憶手段と、前記サービス識別情報に対応する複数の前記投稿情報を前記発生時刻に基づいて配列した情報と、前記サービス識別情報に対応するサービスの内容を含むサービス情報と、を含むＷｅｂページを作成するＷｅｂページ作成手段と、を備えることを要旨とする。
【０００９】
このような情報処理装置は、受信手段と、投稿情報記憶手段と、Ｗｅｂページ作成手段とを備える。投稿情報記憶手段は、受信手段がユーザ端末から受信した投稿情報と、投稿情報に関連するＷｅｂページのサービスを識別するサービス識別情報とを記憶する。すなわち、サービス識別情報によって複数の投稿情報と、投稿情報に対応するサービスの内容を含むサービス情報とが、関連付けられる。
【００１０】
また、Ｗｅｂページ作成手段は、サービス識別情報に対応する複数の投稿情報を生成時刻に基づいて配列した情報と、サービス識別情報に対応するサービスの内容を含むサービス情報と、を含むＷｅｂページを作成する。
【００１１】
従って、情報処理装置によれば、Ｗｅｂページに投稿情報を投稿するユーザが、特別の処理をすることなく、同一トピックスに関連した投稿情報をグルーピングするとともに、Ｗｅｂページを閲覧するユーザに対して、Ｗｅｂページの内容に関連した議論ログを提供できる。
【００１２】
本発明の第２の特徴は、本発明の第１の特徴に係り、前記Ｗｅｂページ作成手段は、前記サービス情報、又は前記投稿情報に対する返信投稿情報を受け付け、前記サービス情報に対応するサービス識別情報と、前記返信投稿情報とを前記情報処理装置に送信する受付手段を前記Ｗｅｂページに作成し、前記受信手段は、前記サービス識別情報と、前記返信投稿情報とを受信し、前記投稿情報記憶手段は、前記返信投稿情報を投稿情報として、前記サービス識別情報と、前記返信投稿情報の生成時刻とともに記憶することを要旨とする。
【００１３】
本発明の第３の特徴は、コンピュータが、複数のサービス毎に対応したＷｅｂページを管理し、ネットワークを介して前記Ｗｅｂページを配信する情報処理方法であって、コンピュータが、ユーザにより作成された投稿情報と、前記投稿情報に関連する前記Ｗｅｂページのサービスを識別するサービス情報と、前記サービスの内容を含むサービス情報とを記憶するサービス情報記憶手段を実現し、コンピュータが、ユーザにより作成された投稿情報と、前記投稿情報に関連する前記Ｗｅｂページのサービスを識別するサービス識別情報とをユーザ端末から受信する受信ステップと、コンピュータが、前記投稿情報と、前記サービス識別情報と、前記投稿情報の生成時刻とを対応させて前記サービス情報記憶手段に記憶する投稿情報記憶ステップと、コンピュータが、前記サービス識別情報に対応する複数の前記投稿情報を前記発生時刻に基づいて配列した情報と、前記サービス識別情報に対応するサービスの内容を含むサービス情報とを含むＷｅｂページを作成するＷｅｂページ作成ステップと、を備えることを要旨とする。
【００１４】
本発明の第４の特徴は、コンピュータに、複数のサービス毎に対応したＷｅｂページを管理させ、ネットワークを介して前記Ｗｅｂページを配信させるプログラムであって、コンピュータに、ユーザにより作成された投稿情報と、前記投稿情報に関連する前記Ｗｅｂページのサービスを識別するサービス情報と、前記サービスの内容を含むサービス情報とを記憶するサービス情報記憶手段を実現させ、ユーザにより作成された投稿情報と、前記投稿情報に関連する前記Ｗｅｂページのサービスを識別するサービス識別情報とをユーザ端末から受信する受信ステップと、前記投稿情報と、前記サービス識別情報と、前記投稿情報の生成時刻とを対応させて前記サービス情報記憶手段に記憶する投稿情報記憶ステップと、前記サービス識別情報に対応する複数の前記投稿情報を前記発生時刻に基づいて配列した情報と、前記サービス識別情報に対応するサービスの内容を含むサービス情報とを含むＷｅｂページを作成するＷｅｂページ作成ステップと、をコンピュータに実行させることを要旨とする。
【００１５】
本発明の第５の特徴は、複数のサービス毎に対応したＷｅｂページを管理し、ネットワークを介して前記Ｗｅｂページを配信する情報処理装置と、前記Ｗｅｂページを受信するユーザ端末と、ユーザ端末により作成された投稿情報を受信し、前記投稿情報を生成時刻に基づいて配列して配信する第２の情報処理装置とを有する情報処理システムであって、前記情報処理装置は、ユーザにより作成された投稿情報と、前記投稿情報に関連する前記Ｗｅｂページのサービスを識別するサービス識別情報と、をユーザ端末から受信する受信手段と、前記投稿情報と、前記サービス識別情報と、前記投稿情報の生成時刻とを対応させて記憶する投稿情報記憶手段と、前記サービス識別情報に対応する複数の前記投稿情報を前記発生時刻に基づいて配列した情報と、前記サービス識別情報に対応するサービスの内容を含むサービス情報と、を含むＷｅｂページを作成するＷｅｂページ作成手段とを備え、前記第２の情報処理装置は、前記投稿情報と、前記前記サービス識別情報と、を前記ユーザ端末から受信する第２受信手段と、前記投稿情報と、前記サービス識別情報と、前記生成時刻とを対応させて記憶する第２投稿情報記憶手段と、前記投稿情報を、前記発生時刻に基づいて配列した第２Ｗｅｂページを作成する第２Ｗｅｂページ作成手段と、を備えることを要旨とする。
【発明の効果】
【００１６】
本発明によれば、Ｗｅｂページに投稿情報を投稿するユーザが、特別の処理をすること
なく、同一トピックスに関連した投稿情報をグルーピングするとともに、Ｗｅｂページを
閲覧するユーザに対して、Ｗｅｂページの内容に関連した議論ログを提供できる。
【図面の簡単な説明】
【００１７】
【図１】本発明の実施形態に係る投稿情報配布システム１の全体概略構成図である。
【図２】本発明の実施形態に係る本実施形態に係る投稿情報配信サーバ１００の機能ブロック図である。
【図３】本発明の実施形態に係る投稿情報配信サーバ１００のサービス情報ＤＢ１０７に記憶される情報の一例を示す図である。
【図４】本発明の実施形態に係る投稿情報配信サーバ１００の投稿情報ＤＢ１０９に記憶される情報の一例を示す図である。
【図５】本発明の実施形態に係る投稿情報配信サーバ１００において作成されるＷｅｂページ５００を説明するための概念図である。
【図６】本発明の実施形態に係る情報処理装置２００の機能ブロック図である。
【図７】本発明の実施形態に係る投稿情報配布システム１の全体概略動作を示すフローチャートである。
【発明を実施するための形態】
【００１８】
次に、図面を参照して、本発明の実施形態を説明する。
【００１９】
なお、以下の図面の記載において、同一または類似の部分には、同一または類似の符号を付している。また、図面は模式的なものであり、各寸法の比率などは現実のものとは異なる。
【００２０】
したがって、具体的な寸法などは以下の説明を参酌して判断すればよく、図面相互間においても互いの寸法の関係や比率が異なる部分が含まれている。
【００２１】
以下の実施形態においては、（１）投稿情報配布システム１の全体構成、（２）投稿情報配信サーバ１００の詳細構成、（３）Ｗｅｂページの詳細構成、（４）情報処理装置２００の詳細構成、（５）投稿情報配布システム１の動作、（６）作用・効果、（７）その他の実施形態について説明する。
【００２２】
（１）投稿情報配布システム１の全体構成
図１は、本実施形態に係る投稿情報配布システム１の全体概略構成図である。
【００２３】
図１に示す投稿情報配布システム１は、ユーザ端末１０、ユーザ端末２０、投稿情報配信サーバ１００、情報処理装置２００を含む。投稿情報配布システム１では、ユーザ端末１０、ユーザ端末２０、投稿情報配信サーバ１００、情報処理装置２００が、通信ネットワーク５０（インターネットなど）を介して接続されている。
【００２４】
投稿情報配布システム１では、ユーザ端末１０、ユーザ端末２０により入力されたコメントが、投稿情報配信サーバ１００、情報処理装置２００に送信される。これに対して、投稿情報配信サーバ１００、情報処理装置２００では、コメントを含むＷｅｂページ５００、Ｗｅｂページ５１０が、作成され、ユーザ端末１０、ユーザ端末２０の要求に基づいて、ユーザ端末１０、ユーザ端末２０に送信される。
【００２５】
投稿情報配信サーバ１００及び情報処理装置２００は、ＣＰＵ等の制御装置、メモリやＨＤＤ等の記憶装置、通信ネットワーク５０と通信する通信Ｉ／Ｆ等の通信装置といったハードウェア資源を有するコンピュータ（単一或いは複数）により構成される。投稿情報配信サーバ１００及び情報処理装置２００が備える下記の各ブロックは、前述したコンピュータの制御装置等のハードウェア資源を用いてコンピュータプログラムを実行することによって実現されるものである。なお、これらの各ブロック、手段は、単一のコンピュータ上に配置される必要はなく、必要に応じて分散される構成を採用しても良い。
【００２６】
投稿情報配信サーバ１００は、複数のサービス毎に対応したＷｅｂページ５００を管理し、通信ネットワーク５０を介してＷｅｂページ５００を配信する。例えば、投稿情報配信サーバ１００は、ニュース、ショッピング、天気など複数のサービス毎に対応したＷｅｂページ５００管理する。
【００２７】
ユーザ端末１０は、携帯通信端末装置（携帯電話機やスマートフォン）、カーナビゲーションシステム等である。ユーザ端末２０は、ユーザが使用するＰＣ（Personal  Computer）である。ユーザ端末１０及びユーザ端末２０は、無線ＬＡＮや、近傍無線通信（Ｂｌｕｅｔｏｏｔｈ（登録商標）や赤外線通信等）或いは有線通信（ＵＳＢ（Ｕｎｉｖｅｒｓａｌ  Ｓｅｒｉａｌ  Ｂｕｓ）ケーブル接続等）によって、通信ネットワーク５０を介して投稿情報配信サーバ１００及び情報処理装置２００に接続されている。ユーザ端末１０及びユーザ端末２０は、投稿情報配信サーバ１００及び情報処理装置２００が有するハードウェア資源に加えて、キーボタンやタッチパネル等の入力装置、液晶ディスプレイ等の出力装置、一般的なブラウザを備える。ブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。
【００２８】
なお、ユーザ端末１０及びユーザ端末２０は、同一の機能を有しており、以下の記載においては、ユーザ端末２０に関する記載は、適宜省略し、主にユーザ端末１０との関連について、記載する。従って、ユーザ端末１０と同様にユーザ端末２０も同一の動作をするものとする。
【００２９】
（２）投稿情報配信サーバ１００の詳細構成
図２は、本実施形態に係る投稿情報配信サーバ１００の機能ブロック図である。図３は、投稿情報配信サーバ１００のサービス情報ＤＢ１０７に記憶される情報の一例を示す図である。図４は、投稿情報配信サーバ１００の投稿情報ＤＢ１０９に記憶される情報の一例を示す図である。
【００３０】
投稿情報配信サーバ１００、受信部１０１と、解析部１０３と、処理部１０５と、サービス情報ＤＢ１０７と、投稿情報ＤＢ１０９と、Ｗｅｂページ作成部１１１と、送信部１１３とを備える。
【００３１】
受信部１０１は、ユーザ端末１０との通信を行う。具体的には、受信部１０１は、投稿情報１６３と、サービス識別情報１５３とをユーザ端末１０から受信する。なお、サービス識別情報１５３は、投稿情報１６３の一部として、サービス識別情報１５３は、投稿情報１６３に含まれた状態で送信されてもよい。また、受信部１０１は、ユーザ端末１０から所定のサービスに関連したＷｅｂページ５００のページ要求等を受信する。
【００３２】
解析部１０３は、受信部１０１から取得した情報からサービス識別情報１５３を解析する。具体的には、サービス識別情報１５３が、投稿情報１６３に含まれた状態で有る場合、解析部１０３は、受信部１０１から取得した投稿情報１６３からサービス識別情報１５３を解析する。例えば、投稿情報１６３において、サービス識別情報１５３は、サービス識別情報１５３の前後に所定のタグ情報を配置して含むことにより、解析部１０３が、所定のタグを抽出することで、サービス識別情報１５３を識別し、解析することができる。また、解析部１０３は、ユーザ端末１０からのページ要求等に基づいて、ページ要求に対応するサービス識別情報１５３を解析し、ページ要求に対応するサービス識別情報１５３を処理部１０５に送信する。
【００３３】
処理部１０５は、投稿情報１６３と、サービス識別情報１５３と、投稿情報１６３の生成時刻１６７とを対応させて投稿情報ＤＢ１０９に記憶させる。また、処理部１０５は、ユーザ端末１０からのページ要求等に基づいて、ページ要求に対応するサービス識別情報１５３を共通の識別子として、対応する情報をサービス情報ＤＢ１０７と、投稿情報ＤＢ１０９とから抽出して、Ｗｅｂページ作成部１１１に送信する。
【００３４】
図３に示すように、サービス情報ＤＢ１０７は、情報ＩＤ１５１と、サービス識別情報１５３と、サービス情報１５５とを対応させて記憶する。
【００３５】
情報ＩＤ１５１は、サービス情報１５５を識別するための識別番号である。情報ＩＤ１５１は、乱数、通し番号等により構成される。
【００３６】
サービス識別情報１５３は、サービス情報１５５のサービスを識別する情報である。また、サービス識別情報１５３は、投稿情報１６３（図４）に関連するＷｅｂページ５００のサービスを識別する情報であり、Ｗｅｂページ５００を特定する情報である。具体的には、サービス識別情報１５３は、Ｗｅｂページ５００のサービスを識別するＵＲＬである。例えば、サービス識別情報１５３は、サービスがニュースである場合、“http://headlines.”を含み、サービスがショッピング（買い物）である場合、“http://shopping.”を含み、サービスが天気である場合、“http://weather.”を含むＵＲＬである。サービス識別情報１５３は、階層化構造を有していてもよい。例えば、サービス識別情報１５３は、主要なサービスを示すメインカテゴリーと、メインカテゴリーに属するグループであるサブカテゴリーとを有し、“／（スラッシュ）”により、（メインカテゴリー／サブカテゴリー）のように記載されてもよい。
【００３７】
サービス情報１５５は、サービス識別情報１５３に対応する具体的な情報である。例えば、サービス情報１５５は、サービスがニュースである場合、政治に関するニュースや、スポーツに関するニュースなどである。サービス識別情報１５３が、メインカテゴリーとしてニュース、サブカテゴリーとして、政治を有する場合、サービス情報１５５は、政治に関するニュースが対応する情報となる。サービス識別情報１５３は、Ｗｅｂページ５００のサービスを示す情報であってもよい。例えば、サービス識別情報１５３は、ニュース、ショッピング、天気など、Ｗｅｂページ５００の属性を示す情報であってもよい。
【００３８】
図４に示すように、投稿情報ＤＢ１０９は、投稿情報ＩＤ１６１と、サービス識別情報１５３と、投稿情報１６３と、ユーザＩＤ１６５と、生成時刻１６７を対応させて記憶する。
【００３９】
投稿情報ＩＤ１６１は、投稿情報１６３を識別するための識別番号である。投稿情報ＩＤ１６１は、乱数、通し番号等により構成される。投稿情報ＩＤ１６１は、投稿情報１６３を表示するＵＲＬであってもよい。
【００４０】
サービス識別情報１５３は、投稿情報１６３に関連するＷｅｂページ５００のサービスを識別する情報である。また、サービス識別情報１５３は、図３に示されるサービス情報ＤＢ１０７に記憶される各情報との対応付けを行うために、サービス情報ＤＢ１０７との間で、共通するキー情報である。
【００４１】
投稿情報１６３は、ユーザにより作成された情報である。具体的には、投稿情報１６３は、ユーザ端末１０を介して、ユーザに入力された情報であり、テキスト、写真などの画像、動画、またこれらの組み合わせにより構成される情報である。
【００４２】
ユーザＩＤ１６５は、投稿情報１６３を作成したユーザを識別する情報である。具体的には、ユーザＩＤ１６５は、ユーザにより指定された文字列からなるログインネームで示される。ユーザＩＤ１６５は、ユーザ端末１０を介して、ユーザが投稿情報配信サーバ１００にアクセスされた際に、記憶されていてもよいし、投稿情報１６３とともにユーザ端末１０から受信しても良い。ユーザＩＤ１６５は、投稿情報配信サーバ１００により決定されてもよく、例えば、乱数、投資番号等により構成されてもよい。
【００４３】
生成時刻１６７は、投稿情報１６３を時系列順に並べる際の基準となる時刻情報である。具体的には、生成時刻１６７は、投稿情報１６３が生成された年月日、時刻を含む情報である。生成時刻１６７は、基準となる時刻情報であればよく、投稿情報配信サーバ１００において投稿情報１６３を受信した時刻等であってもよい。
【００４４】
Ｗｅｂページ作成部１１１は、ユーザ端末１０からのページ要求等に基づいて、Ｗｅｂページ５００を作成する。具体的には、Ｗｅｂページ作成部１１１は、処理部１０５から取得したサービス識別情報１５３に基づいてサービス情報ＤＢ１０７と、投稿情報ＤＢ１０９とから抽出された情報を用いて、Ｗｅｂページ５００を作成する。すなわち、Ｗｅｂページ作成部１１１は、サービス識別情報１５３を共通の識別子として、対応する複数の投稿情報１６３と、サービス識別情報１５３に対応するサービスの内容を含むサービス情報と、を含むＷｅｂページ５００を作成する。
【００４５】
例えば、Ｗｅｂページ作成部１１１は、サービス識別情報１５３として、“http://weather.**.co.jp”を有する複数の投稿情報１６３を投稿情報ＤＢ１０９から抽出し、天気に関連する複数の投稿情報１６３をグループ化する。また、Ｗｅｂページ作成部１１１は、サービス識別情報１５３として、“http://weather.**.co.jp”に対応するサービス情報１５５、例えば、「今日の天気・・・」という情報をサービス情報ＤＢ１０７から抽出する。そして、Ｗｅｂページ作成部１１１は、天気に関連する複数の投稿情報１６３を生成時刻１６７に基づいて配列した情報と、サービス情報１５５とを含むＷｅｂページ５００を作成する（後述する図５参照）。Ｗｅｂページ作成部１１１において作成されるＷｅｂページ５００については、後述する。
【００４６】
送信部１１３は、Ｗｅｂページ作成部１１１により作成されたＷｅｂページ５００をユーザ端末１０に送信する。また、送信部１１３は、ユーザ端末１０から取得した情報を情報処理装置２００に送信する。具体的には、送信部１１３は、サービス識別情報１５３と、投稿情報１６３と、投稿情報１６３の生成時刻１６７とを情報処理装置２００に送信する。
【００４７】
（３）Ｗｅｂページの詳細構成
図５は、本実施形態に係る投稿情報配信サーバ１００において作成されるＷｅｂページ５００を説明するための概念図である。具体的には、Ｗｅｂページ５００には、サービス情報１５５、投稿情報入力欄５０１、コメント受付フォーム５０３、投稿情報集５０５が含まれる。Ｗｅｂページ５００には、所定のサービスについて、関連する情報が含まれている。例えば、Ｗｅｂページ５００のサービスが天気、特に今日の天気である場合、サービス情報１５５、投稿情報入力欄５０１、コメント受付フォーム５０３、投稿情報集５０５は、今日の天気に関連する情報が含まれる。
【００４８】
サービス情報１５５は、サービス識別情報１５３に対応する具体的なサービスの内容を含む情報である。サービス識別情報１５３が、メインカテゴリーとして天気、サブカテゴリーとして、今日の天気を有する場合、サービス情報１５５は、今日の天気に対応する情報となる。
【００４９】
投稿情報入力欄５０１は、サービス情報１５５に対する投稿情報１６３を入力するために設けられた入力欄である。ユーザは、ユーザ端末１０を介して、投稿情報入力欄５０１にテキスト、画像データ、動画データ等を投稿情報１６３として入力、或いはファイルデータの保存先を指定することにより、投稿情報１６３を入力できる。例えば、ユーザは、投稿情報入力欄５０１に今日の天気に関する投稿として、投稿情報１６３を入力できる。
【００５０】
コメント受付フォーム５０３は、受付手段を構成し、サービス情報１５５に対する投稿情報１６３を受け付け、サービス情報１５５に対応するサービス識別情報１５３と、投稿情報１６３とを投稿情報配信サーバ１００に送信する。
【００５１】
投稿情報集５０５は、サービス識別情報１５３に対応する複数の投稿情報１６３を生成時刻１６７に基づいて配列した情報である。例えば、図５に示すように、投稿情報集５０５は、２つの投稿情報１６３を投稿情報１６３が新しく生成された順序であるタイムラインＴＬに沿って配列している。投稿情報集５０５は、ユーザの１つの発言単位で構成されている。投稿情報集５０５を構成する情報として、投稿情報集５０５は、ユーザ情報５０５ａ、投稿情報欄５０５ｂ、返信受付フォーム５０５ｃ、連続投稿情報受付フォーム５０５ｄを含む。
【００５２】
ユーザ情報５０５ａは、投稿情報１６３を作成したユーザを識別するユーザＩＤ１６５を含むユーザを特定するための情報である。例えば、ユーザ情報５０５ａは、ユーザＩＤ１６５と、ユーザにより指定されるアイコン又は画像等を含む。
【００５３】
投稿情報欄５０５ｂは、投稿情報１６３を表示する欄である。
【００５４】
返信受付フォーム５０５ｃは、受付手段を構成し、投稿情報欄５０５ｂに対する返信投稿情報を受け付け、サービス情報１５５に対応するサービス識別情報１５３と、返信投稿情報とを投稿情報配信サーバ１００に送信する。
【００５５】
連続投稿情報受付フォーム５０５ｄは、生成時刻１６７に基づいて、表示されている投稿情報１６３の次の投稿情報を要求する受付手段を構成する。具体的には、連続投稿情報受付フォーム５０５ｄは、表示されている投稿情報１６３の次の投稿情報の要求情報を受け付け、投稿情報配信サーバ１００に送信する。例えば、表示されている投稿情報１６３の次の投稿情報の要求情報を受け付けた投稿情報配信サーバ１００は、サービス識別情報１５３に基づいて、生成時刻１６７が次に新しい投稿情報１６３を追加して表示したＷｅｂページ５００を作成する。
【００５６】
（４）情報処理装置２００の詳細構成
図６は、本実施形態に係る情報処理装置２００の機能ブロック図である。情報処理装置２００は、第２の情報処理装置を構成し、ユーザにより入力された投稿情報を、投稿情報の生成時刻に基づいて、時系列に配列したＷｅｂページ５１０を作成し、Ｗｅｂページ５１０を配信する。情報処理装置２００は、投稿情報配信サーバ１００と比べて投稿情報のサービス等を考慮することなく、投稿情報を時系列に配列したＷｅｂページ５１０を作成する点で投稿情報配信サーバ１００と大きく異なる。以下、投稿情報配信サーバ１００と異なる点について記載し、重複する点については適宜省略する。
【００５７】
情報処理装置２００は、受信部２０１と、処理部２０３と、投稿情報ＤＢ２０５と、Ｗｅｂページ作成部２０７と、送信部２０９とを備える。
【００５８】
受信部２０１は、第２受信手段を構成し、ユーザ端末１０との通信を行う。具体的には、受信部２０１は、投稿情報１６３と、サービス識別情報１５３と、投稿情報１６３の生成時刻１６７とをユーザ端末１０から受信する。また、受信部２０１は、ユーザ端末１０からＷｅｂページ５１０のページ要求等を受信する。
【００５９】
処理部２０３は、投稿情報１６３と、サービス識別情報１５３と、投稿情報１６３の生成時刻１６７とを対応させて投稿情報ＤＢ２０５に記憶させる。また、処理部２０３は、ユーザ端末１０からのページ要求等に基づいて、ページ要求に対応する情報を投稿情報ＤＢ２０５から抽出して、Ｗｅｂページ作成部２０７に送信する。例えば、ユーザ端末１０からのページ要求に、キーワードとして“六本木”、“天気”が含まれている場合処理部２０３は、“六本木”、“天気”を含む投稿情報１６３を投稿情報ＤＢ２０５から抽出して、Ｗｅｂページ作成部２０７に送信する。
【００６０】
投稿情報ＤＢ２０５は、第２投稿情報記憶手段を構成し、投稿情報ＤＢ１０９と同様に、投稿情報ＩＤと、サービス識別情報１５３と、投稿情報１６３と、ユーザＩＤ１６５と、生成時刻１６７を対応させて記憶する（不図示）。
【００６１】
Ｗｅｂページ作成部２０７は、第２Ｗｅｂページ作成手段を構成し、ユーザ端末１０からのページ要求等に基づいて第２Ｗｅｂページをを構成するＷｅｂページ５１０を作成する。具体的には、Ｗｅｂページ作成部２０７は、投稿情報１６３を時系列に配列したＷｅｂページ５１０を作成する。また、Ｗｅｂページ作成部２０７は、Ｗｅｂページ５１０にＷｅｂページ５００と同様の返信受け付けフォームを作成する。
【００６２】
送信部２０９は、Ｗｅｂページ作成部２０７により作成されたＷｅｂページ５１０をユーザ端末１０に送信する。送信部２０９は、投稿情報ＤＢ２０５に記憶された情報を定期的に投稿情報配信サーバ１００に送信する。例えば、送信部２０９は、投稿情報配信サーバ１００から情報要求を受信する毎に適宜投稿情報ＤＢ２０５に記憶された情報を投稿情報配信サーバ１００に送信する。具体的には、送信部２０９は、投稿情報ＤＢ２０５に記憶された投稿情報ＩＤと、サービス識別情報１５３と、投稿情報１６３と、ユーザＩＤ１６５と、生成時刻１６７とを対応させて投稿情報配信サーバ１００に送信する。なお、送信部２０９から投稿情報配信サーバ１００に送信された情報は、投稿情報ＤＢ１０９に記憶される。
【００６３】
（５）投稿情報配布システム１の動作
投稿情報配布システム１の動作について、（５．１）全体概略動作、（５．２）投稿情報配信サーバ１００によるＷｅｂページ５００の作成動作の詳細、（５．３）ユーザ端末１０によるコメント送信動作、（５．４）投稿情報配信サーバ１００によるＷｅｂページ５００の作成更新動作、（５．５）情報処理装置２００によるＷｅｂページ５１０の作成動作の順に説明する。
【００６４】
（５．１）全体概略動作
図７は、投稿情報配布システム１の全体概略動作を示すフローチャートである。
投稿情報配布システム１の動作は、投稿情報配信サーバ１００が、ユーザ端末１０からのページ要求の受信に伴ってＷｅｂページ５００を作成する作成動作と、ユーザ端末１０が、Ｗｅｂページ５００を取得し、Ｗｅｂページ５００に対するコメントである投稿情報１６３、又は返信投稿情報を入力し、投稿情報配信サーバ１００に送信するコメント送信動作と、投稿情報配信サーバ１００が、返信投稿情報を含んだＷｅｂページ５００を更新し、新たに作成する際の作成更新動作と、情報処理装置２００が、ユーザ端末１０からのページ要求の受信に伴ってＷｅｂページ５１０を作成し、Ｗｅｂページ５１０を配信する作成動作とを含む。なお、これらの動作は、前後の動作と独立して適宜処理されてもよい。
【００６５】
（５．２）投稿情報配信サーバ１００によるＷｅｂページ５００の作成動作の詳細
ステップＳ１０１において、ユーザ端末１０は、投稿情報配信サーバ１００にページ要求を送信する。
【００６６】
ステップＳ１０３において、投稿情報配信サーバ１００の受信部１０１は、ユーザ端末１０からページ要求を受信する。更に、受信部１０１は、ページ要求をＷｅｂページ作成部１１１に送信する。
【００６７】
ステップＳ１０５において、Ｗｅｂページ作成部１１１は、ユーザ端末１０からのページ要求等に基づいて、Ｗｅｂページ５００を作成する。
【００６８】
ステップＳ１０７において、送信部１１３は、Ｗｅｂページ作成部１１１により作成されたＷｅｂページ５００をユーザ端末１０に送信する。
【００６９】
（５．３）ユーザ端末１０によるコメント送信動作
ステップＳ１０９において、ユーザ端末１０は、投稿情報配信サーバ１００からＷｅｂページ５００を受信する。
【００７０】
ステップＳ１１１において、ユーザ端末１０は、Ｗｅｂページ５００の返信受付フォーム５０５ｃを介して、Ｗｅｂページ５００に対するコメントである投稿情報１６３、又はＷｅｂページ５００の投稿情報欄５０５ｂに記載された投稿情報１６３に対する返信投稿情報を入力する。
【００７１】
ステップＳ１１３において、ユーザ端末１０は、投稿情報配信サーバ１００に投稿情報１６３（又は返信投稿情報）と、Ｗｅｂページ５００のサービス情報１５５に対応するサービス識別情報１５３とを送信する。
【００７２】
（５．４）投稿情報配信サーバ１００によるＷｅｂページ５００の作成更新動作
ステップＳ１１５において、投稿情報配信サーバ１００の受信部１０１は、ユーザ端末１０から投稿情報１６３（又は返信投稿情報）とサービス識別情報１５３とを受信する。更に、受信部１０１は、投稿情報１６３（又は返信投稿情報）とサービス識別情報１５３とを解析部１０３に送信する。
【００７３】
ステップＳ１１７において、解析部１０３は、受信部１０１から取得した情報からサービス識別情報１５３を解析し、投稿情報１６３（又は返信投稿情報）と、サービス識別情報１５３とを処理部１０５に送信する。また、解析部１０３は、投稿情報１６３（又は返信投稿情報）と、サービス識別情報１５３とを送信部１１３に送信する。
【００７４】
ステップＳ１１９において、処理部１０５は、投稿情報１６３と、サービス識別情報１５３と、投稿情報１６３の生成時刻１６７とを対応させて投稿情報ＤＢ１０９に記憶させる。なお、処理部１０５は、返信投稿情報を受信した場合、返信投稿情報を投稿情報１６３として、サービス識別情報１５３、返信投稿情報の生成時刻１６７と対応させて投稿情報ＤＢ１０９に記憶させる。
【００７５】
ステップＳ１２１において、送信部１１３は、投稿情報１６３と、サービス識別情報１５３と、投稿情報１６３の生成時刻１６７とを情報処理装置２００に送信する。また、情報処理装置２００の受信部２０１は、投稿情報１６３と、サービス識別情報１５３とをユーザ端末１０から受信する。
【００７６】
ステップＳ１２３において、Ｗｅｂページ作成部１１１は、サービス識別情報１５３を共通の識別子として、対応する複数の投稿情報１６３と、サービス識別情報１５３に対応するサービスの内容を含むサービス情報と、を含むＷｅｂページ５００を作成する。
【００７７】
ステップＳ１２５において、送信部１１３は、Ｗｅｂページ作成部１１１により作成されたＷｅｂページ５００をユーザ端末１０に送信する。
【００７８】
ステップＳ１２７において、ユーザ端末１０は、投稿情報配信サーバ１００からＷｅｂページ５００を受信する。
【００７９】
（５．５）情報処理装置２００によるＷｅｂページ５１０の作成動作
ステップＳ１２９において、情報処理装置２００の処理部２０３は、投稿情報１６３と、サービス識別情報１５３と、投稿情報１６３の生成時刻１６７とを対応させて投稿情報ＤＢ２０５に記憶させる。
【００８０】
ステップＳ１３１において、受信部２０１は、ユーザ端末１０からＷｅｂページ５１０のページ要求を受信する。また、処理部２０３は、ユーザ端末１０からのページ要求等に基づいて、ページ要求に対応する情報を投稿情報ＤＢ２０５から抽出して、Ｗｅｂページ作成部２０７に送信する。
【００８１】
ステップＳ１３３において、Ｗｅｂページ作成部２０７は、投稿情報１６３を時系列に配列したＷｅｂページ５１０を作成する。
【００８２】
ステップＳ１３５において、送信部２０９は、Ｗｅｂページ作成部２０７により作成されたＷｅｂページ５１０をユーザ端末１０に送信する。
【００８３】
ステップＳ１３７において、ユーザ端末１０は、情報処理装置２００からＷｅｂページ５１０を受信する。
【００８４】
（６）作用・効果
以上説明したように、本実施形態によれば、投稿情報配信サーバ１００は、受信部１０１と、投稿情報ＤＢ１０９と、Ｗｅｂページ作成部１１１とを備える。投稿情報ＤＢ１０９は、受信部１０１がユーザ端末１０から受信した投稿情報１６３と、投稿情報１６３に関連するＷｅｂページ５００のサービスを識別するサービス識別情報１５３とを記憶する。すなわち、サービス識別情報１５３によって複数の投稿情報１６３と、投稿情報１６３に対応するサービスの内容を含むサービス情報とが、関連付けられる。
【００８５】
また、Ｗｅｂページ作成部１１１は、サービス識別情報１５３に対応する複数の投稿情報１６３を生成時刻１６７に基づいて配列した情報と、サービス識別情報１５３に対応するサービスの内容を含むサービス情報と、を含むＷｅｂページ５００を作成する。
【００８６】
従って、投稿情報配信サーバ１００によれば、Ｗｅｂページ５００に投稿情報１６３を投稿するユーザが、特別の処理をすることなく、同一トピックスに関連した投稿情報１６３をグルーピングするとともに、Ｗｅｂページ５００を閲覧するユーザに対して、Ｗｅｂページ５００の内容に関連した議論ログを提供できる。
【００８７】
実施形態では、Ｗｅｂページ作成部１１１は、サービス情報、又は投稿情報１６３に対する返信投稿情報を受け付け、サービス情報に対応するサービス識別情報１５３と、返信投稿情報とを投稿情報配信サーバ１００に送信する返信受付フォーム５０５ｃをＷｅｂページ５００に作成する。また、投稿情報ＤＢ１０９は、受信部１０１により受信された返信投稿情報を投稿情報１６３として、サービス識別情報１５３と、生成時刻１６７とともに記憶する。
【００８８】
従って、返信受付フォーム５０５ｃを介して、ユーザにより入力された返信投稿情報は、ユーザが特別の処理をすることなく、サービス識別情報１５３に対応付けられる。
【００８９】
実施形態では、情報処理装置２００は、投稿情報１６３、サービス識別情報１５３をユーザ端末１０から受信する受信部２０１と、投稿情報１６３を、生成時刻１６７に基づいて配列したＷｅｂページ５１０を作成するＷｅｂページ作成部２０７と、を備える。従って、情報処理装置２００も投稿情報配信サーバ１００と同様に、投稿情報１６３を、生成時刻１６７に基づいて配列したＷｅｂページ５１０を作成する。
【００９０】
また、情報処理装置２００は、投稿情報１６３と、サービス識別情報１５３と、生成時刻１６７とを対応させて記憶する投稿情報ＤＢ２０５を備える。このため、投稿情報１６３と、サービス識別情報１５３とを対応付けて管理することができ、例えば、投稿情報１６３に対する返信投稿情報にもサービス識別情報１５３を対応付けて管理することができる。すなわち、Ｗｅｂページ５１０で情報処理装置２００に投稿された返信投稿情報にも投稿情報１６３と同じサービス識別情報１５３を付与することで、投稿情報配布システム１で返信投稿情報の管理も可能になる。従って、投稿情報配布システム１によれば、Ｗｅｂページ５１０を介して、情報処理装置２００に返信投稿情報を投稿したユーザが、特別の処理をすることなく、返信投稿情報をグルーピングすることができる。
【００９１】
実施形態では、情報処理装置２００の送信部２０９は、投稿情報ＤＢ２０５に記憶された情報を定期的に投稿情報配信サーバ１００に送信する。従って、投稿情報配信サーバ１００は、情報処理装置２００に投稿された投稿情報を共有することができる。
【００９２】
実施形態では、送信部２０９から投稿情報配信サーバ１００に送信された情報は、投稿情報ＤＢ１０９に記憶される。従って、投稿情報配信サーバ１００は、情報処理装置２００に投稿された投稿情報を用いて、サービス識別情報１５３に対応する複数の投稿情報１６３を生成時刻１６７に基づいて配列した情報と、サービス識別情報１５３に対応するサービスの内容を含むサービス情報と、を含むＷｅｂページ５００を作成できる。
【００９３】
（７）その他の実施形態
上述した実施形態では、投稿情報１６３は、Ｗｅｂページ５００に入力され、投稿情報配信サーバ１００に送信される。本発明は、これに限らず、Ｗｅｂページ５１０に対する返信投稿情報が情報処理装置２００に送信され、情報処理装置２００を介して、投稿情報配信サーバ１００に投稿情報１６３が記憶されてもよい。
【００９４】
上述した実施形態では、投稿情報配信サーバ１００のＷｅｂページ作成部１１１は、ページ要求に対応するサービス識別情報１５３に基づいてサービス情報ＤＢ１０７と、投稿情報ＤＢ１０９とから抽出された情報を用いて、Ｗｅｂページ５００を作成する。本発明は、これに限らず、例えば、ユーザ端末１０からのページ要求において、所定のキーワードを指定している場合、Ｗｅｂページ作成部１１１は、対応するキーワードを含む投稿情報１６３で構成されるＷｅｂページを作成してもよい。
【００９５】
上述した実施形態では、投稿情報配信サーバ１００は、解析部１０３を備え、情報処理装置２００は解析部を備えていない。本発明は、これに限られず情報処理装置２００が解析部を備えていてもよい。
【００９６】
上述した実施形態では、投稿情報配信サーバ１００の投稿情報ＤＢ１０９と、情報処理装置２００の投稿情報ＤＢ２０５とで、投稿情報ＩＤと、サービス識別情報１５３と、投稿情報１６３と、ユーザＩＤ１６５とを共通して記憶する。本発明は、これに限らず、投稿情報ＤＢ１０９と、投稿情報ＤＢ２０５とで互いに共通する情報をキー情報として対応させることにより、どちらか一方にのみ投稿情報ＩＤ、サービス識別情報１５３、投稿情報１６３、ユーザＩＤ１６５等を記憶させる、或いは情報の一部ずつを記憶させてもよい。この場合、情報を利用する際にのみ、例えば、Ｗｅｂページ等を作成する場合に、互いの情報を送受信することで投稿情報ＤＢ１０９と、投稿情報ＤＢ２０５とのいずれかに記憶された情報を投稿情報配信サーバ１００と、情報処理装置２００とで利用することができる。
【００９７】
上述した実施形態では、ユーザ端末１０、投稿情報配信サーバ１００、情報処理装置２００が備える各ブロックについて記載しているが、本発明は、これに限られず、例えば、上記の各ブロックの機能を実行するコンピュータプログラムとしてもよく、また、このコンピュータプログラムを配信する情報処理装置であってもよい。また、上述したように、Ｗｅｂページを管理し配信する情報処理方法であってもよい。
【００９８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【００９９】
例えば、各構成図、フローチャート、概念図の図などは例示に過ぎず、各要素の有無、その順序や具体的内容などは適宜変更可能である。一例として、手動によるブロックの指定は必須ではなく、また、本発明において、各手段などの要素は、コンピュータの演算制御部に限らず、ワイヤードロジック等に基づく電子回路で実現してもよい。
【符号の説明】
【０１００】
１  投稿情報配布システム
１０  ユーザ端末
２０  ユーザ端末
５０  通信ネットワーク
１００  投稿情報配信サーバ
１０１  受信部
１０３  解析部
１０５  処理部
１０７  サービス情報ＤＢ
１０９  投稿情報ＤＢ
１１１  Ｗｅｂページ作成部
１１３  送信部
１５１  情報ＩＤ
１５３  サービス識別情報
１５５  サービス情報
１６３  投稿情報
２００  情報処理装置
５００、５１０  Ｗｅｂページ
【図１】
0005230717.tif 000002
【図２】
0005230717.tif 000003
【図３】
0005230717.tif 000004
【図４】
0005230717.tif 000005
【図５】
0005230717.tif 000006
【図６】
0005230717.tif 000007
【図７】
0005230717.tif 000008